(57)【要約】【課題】使用後の空き缶や身の回りにある可燃物を用いて、燃焼させることができ、かつ、炊飯を行うことができる簡単な構成の簡易コンロキットを提供する。【解決手段】簡易コンロキット１では４枚の柱状プレート４０ａ、４０ｂ、４０ｃ、４０ｄは間隔をあけて配置される第１の支持プレート１０、第２の支持プレート２０および第３の支持プレート３０の外周部１１、２１、３１に係合するように周方向に間隔をあけて配置され、立てて用いられる。プレート状台部材５０は格子状の台部５１と台部５１から直立するように折り曲げ可能な４本の脚部５４ａ，５４ｂ，５４ｃ，５４ｄを有する。棒状間隔部材６０は第１の空き缶１００と第２の空き缶２００の間に介在するように配置されて用いられる。プレート状台部材５０の台部５１は、第１の空き缶１００の相対的に大きな内径の内周部分とほぼ同じ大きさの外径の外枠部５２を有する。【選択図】図３
2010115386.tif 000002
【特許請求の範囲】
【請求項１】
空き缶を用いて炊飯を行うために用いられる簡易コンロキットであって、
外周部とこの外周部で囲まれた空気取り入れ用の開口部を有する第１の支持プレートと、
前記第１の支持プレートの上に間隔をあけて配置されて用いられ、かつ、外周部とこの外周部で囲まれた領域に空き缶を挿通可能な穴を有する第２の支持プレートと、
前記第２の支持プレートの上に間隔をあけて配置されて用いられ、かつ、外周部とこの外周部で囲まれた領域に空き缶を挿通可能な穴を有する第３の支持プレートと、
間隔をあけて配置される前記第１の支持プレート、前記第２の支持プレートおよび前記第３の支持プレートの外周部に係合するように周方向に間隔をあけて配置され、立てて用いられる複数の柱状プレートと、
格子状の台部とこの台部から直立するように折り曲げ可能な複数の脚部を有するプレート状台部材とを備え、
前記複数の柱状プレートの各々が、前記第１の支持プレートの外周部に係合されるとき前記第１の支持プレートから上方向に突出する突出部を有し、
上下部に開口を有する第１の空き缶を前記第１の支持プレートの上に置き、上部に開口を有する第２の空き缶を第１の空き缶の上に置き、前記第２の支持プレートと前記第３の支持プレートの各々の穴に第１の空き缶と第２の空き缶のそれぞれを挿入して用いられ、さらに、
第１の空き缶と第２の空き缶の間に介在するように配置されて用いられる棒状間隔部材を備え、
前記プレート状台部材の台部は、第１の空き缶の相対的に大きな内径の内周部分とほぼ同じ大きさの外径の外周部分を有することを特徴とする、簡易コンロキット。
【請求項２】
第１の空き缶に開口を形成するためのプレート状治具をさらに備える、請求項１に記載の簡易コンロキット。
【請求項３】
第２の空き缶の開口を覆うためのプレート状蓋部材をさらに備える、請求項１または請求項２に記載の簡易コンロキット。
【発明の詳細な説明】
【技術分野】
【０００１】
この発明は、一般的には簡易コンロキットに関し、特定的には災害発生時等の非常時に炊飯を行うために用いられる簡易コンロキットに関するものである。
【背景技術】
【０００２】
従来から、災害発生時や野外のレジャー等において用いられる携帯用のコンロは、種々提案されている。
【０００３】
たとえば、実開昭６３−９５００１号公報（特許文献１）では、固形燃料を備えたアルミニウム箔製のかまどと、このかまど上に一体で内部に少なくとも飲食用水を収容した水袋が収納されたアルミニウム箔製の煮炊器とからなるかまど付き即席煮炊器が提案されている。
【０００４】
また、特開平１０−２２０７６１号公報（特許文献２）では、コンロ本体、大容器、ドーナツリング、小容器、および、ふたからなる非常用携帯コンロが提案されている。
【０００５】
さらに、特開平１０−５７２３３号公報（特許文献３）では、所定量の水を封入して密封された略円柱状をなす炊飯容器と、その炊飯容器を内側に嵌挿したドラム缶状コンロと、そのドラム缶状コンロの底部に設けられたドーナツ盤状の固形燃料とからなる炊飯用具が提案されている。
【０００６】
さらにまた、特開２００７−３０６９０８号公報（特許文献４）では、少しだけ水を入れた大型缶に１〜２個以上を詰めて炊飯する備蓄食糧品であって、蓋部を開き切ったときに食器として使用しうる小型の炊飯用缶の中に備蓄米を詰めて密封してなる備蓄食糧品と、その備蓄食糧品を用いた炊飯方法が提案されている。
【０００７】
登録実用新案第３０１４６６６号公報（特許文献５）では、容器本体と蓋体を有するアルミニウム箔製の炊飯容器と、所定の収納袋内に略密封収納された早炊き米と、所定の具材とともに所定の収容袋内に密封収容され、炊飯時に早炊き米の味付けおよび炊飯用水分の補給を行う炊き込みごはん用スープとを備える炊き込みごはんセットが提案されている。
【０００８】
特開２００６−３２５５７２号公報（特許文献６）では、使い捨ての炊飯釜として使用できる密閉用蓋付きの金属容器の中に、無洗米を密封した袋と、握り飯用の食塩を密封した袋を入れ、備蓄用非常食セットとしたものが提案されている。
【０００９】
登録実用新案第３０１７９１１号公報（特許文献７）では、金属箔製の炊飯鍋本体とフタからなる炊飯鍋と、コンロと、燃料用火皿とを備えた携帯用炊飯キットが提案されている。
【特許文献１】実開昭６３−９５００１号公報
【特許文献２】特開平１０−２２０７６１号公報
【特許文献３】特開平１０−５７２３３号公報
【特許文献４】特開２００７−３０６９０８号公報
【特許文献５】登録実用新案第３０１４６６６号公報
【特許文献６】特開２００６−３２５５７２号公報
【特許文献７】登録実用新案第３０１７９１１号公報
【発明の開示】
【発明が解決しようとする課題】
【００１０】
しかしながら、従来から提案されている携帯用コンロは、専用のかまどまたはコンロ、専用の炊飯容器、炊飯釜または炊飯鍋を必要とする。また、従来から提案されている食糧付きのセットは、特別に加工された食糧として無洗米、早炊き米等の備蓄米が収納された炊飯用缶等の専用の容器を必要とする。このため、非常時に備えて、コンロ関連の構成部材とともに専用の炊飯容器等を収納する必要があるので、携帯用コンロを保管する際に嵩が高くなるという問題がある。
【００１１】
また、従来から提案されている携帯用コンロは、燃料として固形燃料を必要とする。このため、災害発生時等において、炊飯を行うために加熱源を即座に準備することができないという問題がある。
【００１２】
そこで、この発明の目的は、使用後の空き缶や身の回りにある可燃物を用いて、燃焼させることができ、かつ、炊飯を行うことができる簡単な構成の簡易コンロキットを提供することである。
【課題を解決するための手段】
【００１３】
この発明に従った簡易コンロキットは、空き缶を用いて炊飯を行うために用いられる簡易コンロキットである。簡易コンロキットは、第１の支持プレートと、第２の支持プレートと、第３の支持プレートと、複数の柱状プレートと、プレート状台部材とを備える。第１の支持プレートは、外周部と、この外周部で囲まれた空気取り入れ用の開口部を有する。第２の支持プレートは、第１の支持プレートの上に間隔をあけて配置されて用いられ、かつ、外周部と、この外周部で囲まれた領域に空き缶を挿通可能な穴を有する。第３の支持プレートは、第２の支持プレートの上に間隔をあけて配置されて用いられ、かつ、外周部と、この外周部で囲まれた領域に空き缶を挿通可能な穴を有する。複数の柱状プレートは、間隔をあけて配置される第１の支持プレート、第２の支持プレートおよび第３の支持プレートの外周部に係合するように周方向に間隔をあけて配置され、立てて用いられる。プレート状台部材は、格子状の台部と、この台部から直立するように折り曲げ可能な複数の脚部を有する。複数の柱状プレートの各々が、第１の支持プレートの外周部に係合されるとき第１の支持プレートから上方向に突出する突出部を有する。
【００１４】
このようにして構成された本発明の簡易コンロキットは、上下部に開口を有する第１の空き缶を第１の支持プレートの上に置き、上部に開口を有する第２の空き缶を第１の空き缶の上に置き、第２の支持プレートと第３の支持プレートの各々の穴に第１の空き缶と第２の空き缶のそれぞれを挿入して用いられる。
【００１５】
そして、この発明の簡易コンロキットは、第１の空き缶と第２の空き缶の間に介在するように配置されて用いられる棒状間隔部材をさらに備える。
【００１６】
プレート状台部材の台部は、第１の空き缶の相対的に大きな内径の内周部分とほぼ同じ大きさの外径の外周部分を有する。
【００１７】
この発明の簡易コンロキットを構成するすべての部材は、プレート状部材または棒状部材である。このため、簡易コンロキットの構成部材を集約しても嵩張らないので、非常時に備えて、少ないスペースで簡易コンロキットを保管することができる。
【００１８】
また、この発明の簡易コンロキットは、次のようにして使用される。第１の支持プレート、第２の支持プレートおよび第３の支持プレートの外周部に係合するように周方向に間隔をあけて複数の柱状プレートを配置して立てる。空気取り入れ用の開口部を有する第１の支持プレートの上に第１の空き缶を置く。第１の空き缶の上部には燃焼ガスを排出することが可能な開口と、第１の空き缶の下部には燃焼用空気を取り入れることが可能な開口を予め形成しておく。プレート状台部材において複数の脚部を格子状の台部から直立するように折り曲げた状態にして、台部材を第１の空き缶内に置く。台部材の台部の上に可燃物を置いて第１の空き缶内に装入する。第１の空き缶の上に棒状間隔部材を介在して第２の空き缶を置き、二つの空き缶を長さ方向に縦に並べて置く。第２の空き缶内に所定量の生米と水を装入する。そして、第１の空き缶内の可燃物にマッチやライターで火をつける。このようにして炊飯を行う。
【００１９】
このとき、第１の支持プレートの開口部と、第１の空き缶の下部に形成された開口を通じて、第１の空き缶内には、燃焼用空気が第１の空き缶内に導入される。第１の空き缶内に導入された燃焼用空気は、格子状の台部を通じて、台部材の台部の上に置かれた可燃物に供給される。可燃物が燃焼することによって発生した燃焼ガスは、第１の空き缶の上部に形成された開口から、棒状間隔部材によって与えられる第１と第２の空き缶の間の空間と、第２の空き缶の底壁部の外周に形成されている空間に流れることにより、煙突効果をもたらす。これらの作用により、高い効率で燃焼を行うことができる。このため、身の回りにある木片等の少量の燃料で炊飯を行うだけの加熱源を得ることができる。また、専用のかまどやコンロ、専用の炊飯容器や炊飯鍋等がなくても、飲料容器として用いられている缶を利用して、飲んだ後の二つの空き缶を燃料容器と炊飯容器に転用することにより、炊飯を行うことができる。さらに、簡単に手に入る空き缶や木片等と、米と水を準備するだけで炊飯を行うことができるので、本発明の簡易コンロキットは、野外のレジャーや災害発生時等の緊急時に有用である。
【００２０】
さらに、この発明の簡易コンロキットでは、燃料用容器である第１の空き缶として二つのタイプの空き缶を用いることができる。
【００２１】
一つのタイプの空き缶は、長さ方向に沿って内径がほぼ同じドラム缶状のものである。このタイプの場合、台部材は、複数の脚部を下にし、格子状の台部を上に向けて、第１の空き缶の内部に配置する。このように台部材を配置することにより、格子状の台部と、第１の空き缶の下部に設けられた開口との間に空間を確保することができる。第１の空き缶内に導入された燃焼用空気は、上記の空間、格子状の台部を通じて、台部材の台部の上に置かれた可燃物に供給されるので、高い効率で可燃物の燃焼を行うことが可能になる。
【００２２】
また、このタイプの第１の空き缶が第１の支持プレートの上に置かれると、第１の空き缶の下部に形成される開口と、第１の支持プレートの空気取り入れ用開口部との位置がずれてしまう場合がある。ところで、複数の柱状プレートの各々は、第１の支持プレートの外周部に係合されるとき第１の支持プレートから上方向に突出する突出部を有している。第１の空き缶が第１の支持プレートの上に置かれると、第１の支持プレートの外周部にて第１の支持プレートから上方向に突出する複数の柱状プレートの各々の突出端部が第１の空き缶の底壁部に接触する。これらの突出部により、第１の空き缶の下部に形成された開口と、第１の支持プレートの空気取り入れ用開口部との間に空間が形成される。その結果、第１の空き缶の下部に形成された開口と、第１の支持プレートの空気取り入れ用開口部との位置がずれていても、これらの二つの開口間の通風が可能となるので、燃焼用空気の第１の空き缶内への導入が妨げられることがなく、第１の支持プレートの空気取り入れ用開口部から、第１の空き缶の下部に形成された開口を通じて、第１の空き缶内に燃焼用空気を導入することができる。
【００２３】
一方、もう一つのタイプの空き缶は、細く首状に形成された相対的に内径が小さい飲み口部分と、相対的に内径が大きいドラム缶状部分とから構成されるものである。この場合、飲み口部分に形成された開口を下に向けて第１の空き缶を配置する。台部材は、複数の脚部を上にし、格子状の台部を下に向けて、第１の空き缶の内部に配置する。このとき、台部材の台部は、第１の空き缶の相対的に大きな内径の内周部分とほぼ同じ大きさの外径の外周部分を有するので、台部は、第１の空き缶内で、飲み口部分とドラム缶状部分との境界部分で、飲み口部分寄りのドラム缶状部分の内周面に係止されて固定される。このように台部材を配置することにより、格子状の台部と、飲み口部分に形成された開口との間に細く首状に形成された空間を確保することができる。第１の空き缶内に導入された燃焼用空気は、上記の空間、格子状の台部を通じて、台部材の台部の上に置かれた可燃物に供給されるので、高い効率で可燃物の燃焼を行うことが可能になる。
【００２４】
また、このタイプの第１の空き缶が第１の支持プレートの上に置かれると、第１の空き缶の飲み口部分として首部に形成された開口と、第１の支持プレートの空気取り入れ用開口部との位置が整合する。ところで、複数の柱状プレートの各々は、第１の支持プレートの外周部に係合されるとき第１の支持プレートから上方向に突出する突出部を有している。飲み口部分として首部に形成された開口が第１の支持プレートの上に接触するように第１の空き缶が置かれると、第１の支持プレートの外周部にて第１の支持プレートから上方向に突出する複数の柱状プレートの各々の突出部は第１の空き缶の飲み口部分に接触しない。これにより、第１の空き缶の飲み口部分として首部に形成された開口と、第１の支持プレートの空気取り入れ用開口部との位置の整合性が保たれる。その結果、これらの二つの開口間の通風が可能となるので、燃焼用空気の第１の空き缶への導入が妨げられることがなく、第１の支持プレートの空気取り入れ用開口部から、第１の空き缶の飲み口部分に形成された開口を通じて、第１の空き缶内に燃焼用空気を導入することができる。
【００２５】
以上のようにして、本発明の簡易コンロキットでは、燃料容器である第１の空き缶として、二つのタイプのうち、いずれの空き缶が用いられても、問題なく、高い効率で燃焼を行うことができる。
【００２６】
なお、この発明の簡易コンロキットでは、複数の柱状プレートが、第１の支持プレート、第２の支持プレートおよび第３の支持プレートの外周部に係合するように周方向に間隔をあけて配置されて、立てて用いられる。このように構成されているので、第１の支持プレートの上に第１の空き缶を置き、第２の支持プレートと第３の支持プレートの各々の穴に第１の空き缶と第２の空き缶のそれぞれを挿入して、二つの空き缶を長さ方向に縦に並べて置いても、二つの空き缶を安定した姿勢で保持することができる。
【００２７】
この発明の簡易コンロキットは、第１の空き缶に開口を形成するためのプレート状治具をさらに備えることが好ましい。
【００２８】
このようにすることにより、災害発生時や野外のレジャー等において、本発明の簡易コンロキットとは別に穴あけ治具を準備しなくても、燃料容器である第１の空き缶に所定の開口を形成することができる。
【００２９】
また、この発明の簡易コンロキットは、第２の空き缶の開口を覆うためのプレート状蓋部材をさらに備えることが好ましい。
【００３０】
このようにすることにより、炊飯時にプレート状蓋部材で第２の空き缶の開口を覆うことによって高い効率で炊飯を行うことができる。
【発明の効果】
【００３１】
以上のように、この発明の簡易コンロキットを用いることにより、災害発生時や野外のレジャー等において、使用後の空き缶や身の回りにある可燃物を用いて、簡単に燃焼させることができ、かつ、簡単に炊飯を行うことができる。
【発明を実施するための最良の形態】
【００３２】
以下、この発明の一つの実施の形態を図面に基づいて説明する。
【００３３】
図１は本発明の一つの実施形態として組み立てられた簡易コンロキットを示す斜視図、図２は本発明の一つの実施形態として分解された簡易コンロキットの構成部材を示す平面図である。
【００３４】
図１に示すように、本発明の簡易コンロキット１の主要部は、第１の支持プレート１０と、第２の支持プレート２０と、第３の支持プレート３０と、複数の柱状プレート４０ａ、４０ｂ、４０ｃ、４０ｄとを備える。複数の柱状プレート４０ａ、４０ｂ、４０ｃ、４０ｄは、上下方向に間隔をあけて配置される第１の支持プレート１０、第２の支持プレート２０および第３の支持プレート３０の外周部に係合するように周方向に間隔をあけて配置され、立てて用いられる。複数の柱状プレート、この例では４枚の柱状プレート４０ａ、４０ｂ、４０ｃ、４０ｄの各々は、頂部４４ａ、４４ｂ、４４ｃ、４４ｄと底部４５ａ、４５ｂ、４５ｃ、４５ｄを有する。４枚の柱状プレート４０ａ、４０ｂ、４０ｃ、４０ｄの各々が、第１の支持プレート１０の外周部に係合されるとき第１の支持プレート１０から上方向に突出する突出部の一例として引っ掛け部４１ａ、４１ｂ、４１ｃ、４１ｄを有する。
【００３５】
第１の支持プレート１０は、外周部１１と、この外周部１１で囲まれた空気取り入れ用の開口部１２を有する。第２の支持プレート２０は、第１の支持プレート１０の上に間隔をあけて配置されて用いられ、かつ、外周部２１と、この外周部２１で囲まれた領域に空き缶を挿通可能な穴２２を有する。第３の支持プレート３０は、第２の支持プレート２０の上に間隔をあけて配置されて用いられ、かつ、外周部３１と、この外周部３１で囲まれた領域に空き缶を挿通可能な穴３２を有する。
【００３６】
図２の（Ａ）に示すように、第１の支持プレート１０は、円形の板からなり、中央部には空気取り入れ用の開口部１２として貫通孔が形成され、外周部１１には周方向に互いに所定の間隔をあけて複数の挿入穴１３、１４、１５、１６が中央部から外周縁に向かって延びる長方形状の小穴で形成されている。この例では、４つの挿入穴１３、１４、１５、１６が、周方向に互いに９０°ずつの中心角をあけた位置に配置されている。
【００３７】
図２の（Ｂ）に示すように、第２の支持プレート２０は、ドーナツ状またはリング状の板からなり、中央部には空き缶挿入用の穴２２として貫通孔が形成され、外周部２１の外周側縁には周方向に互いに所定の間隔をあけて複数の切欠き部２３、２４、２５、２６が外周縁から中央部に向かって延びるように形成されている。この例では、４つの切欠き部２３、２４、２５、２６が、周方向に互いに９０°ずつの中心角をあけた位置に配置されている。たとえば、空き缶として容量３５０ｍｌのアルミニウム製の飲料用空き缶を用いる場合には、穴２２の直径は６７ｍｍ程度である。
【００３８】
図２の（Ｃ）に示すように、第３の支持プレート３０は、ドーナツ状またはリング状の板からなり、中央部には空き缶挿入用の穴３２として貫通孔が形成され、外周部３１の内周側縁には周方向に互いに所定の間隔をあけて複数の切欠き部３３、３４、３５、３６が内周縁から外周縁に向かって延びるように形成されている。複数の切欠き部３３、３４、３５、３６の各々の両側には、外周部３１の内周側縁が中央に向かって延びるように二つの突出端部３７、３８が形成されている。この例では、４つの切欠き部３３、３４、３５、３６が、周方向に互いに９０°ずつの中心角をあけた位置に配置されている。たとえば、空き缶として容量３５０ｍｌのアルミニウム製の飲料用空き缶を用いる場合には、４つの切欠き部３３、３４、３５、３６の各々における突出端部３７、３８を結ぶ仮想円の直径は６７ｍｍ程度である。
【００３９】
図２の（Ｄ）に示すように、４枚の柱状プレート４０ａ、４０ｂ、４０ｃ、４０ｄの各々の底部４５ａ、４５ｂ、４５ｃ、４５ｄより少し上の位置には、第１の支持プレート１０の挿入穴１３、１４、１５、１６のそれぞれに挿入されて係合することが可能な引っ掛け部４１ａ、４１ｂ、４１ｃ、４１ｄが上方向に突出するように形成されている。４枚の柱状プレート４０ａ、４０ｂ、４０ｃ、４０ｄの各々の中間部には、第２の支持プレート２０の切欠き部２３、２４、２５、２６のそのれぞれに差し込まれて係合することが可能な切欠き部４２ａ、４２ｂ、４２ｃ、４２ｄが水平方向に延びるように形成されている。４枚の柱状プレート４０ａ、４０ｂ、４０ｃ、４０ｄの各々の頂部４４ａ、４４ｂ、４４ｃ、４４ｄより少し下の位置には、第３の支持プレート３０を受けて支持することが可能な突出端部４３ａ、４３ｂ、４３ｃ、４３ｄが水平方向に延びるように形成されている。４枚の柱状プレート４０ａ、４０ｂ、４０ｃ、４０ｄの各々にて突出端部４３ａ、４３ｂ、４３ｃ、４３ｄよりも頂部４４ａ、４４ｂ、４４ｃ、４４ｄ寄りの部分が、第３の支持プレート３０の切欠き部３３、３４、３５、３６のそれぞれに差し込まれて係合することができる。
【００４０】
なお、第１の支持プレート１０、第２の支持プレート２０、第３の支持プレート３０、柱状プレート４０ａ、４０ｂ、４０ｃ、４０ｄは、たとえば、アルミニウム製の板材から形成される。
【００４１】
図２の（Ｅ）に示すように、プレート状台部材５０は、格子状の台部５１と、この台部５１から直立するように折り曲げ可能な複数の脚部、この例では４本の脚部５４ａ、５４ｂ、５４ｃ、５４ｄを有する。格子状の台部５１は、外周部分である外枠部５２と、この外枠部５２で囲まれた領域内に形成された複数の内枠部５３とからなる。格子状の台部５１の中央部には、リング状部５５が形成され、このリング状部５５で囲まれるように円形の穴５６が形成されている。プレート状台部材５０の台部５１において、外周部分である外枠部５２は、燃料容器として用いられる第１の空き缶の相対的に大きな内径の内周部分とほぼ同じ大きさの外径を有する。なお、プレート状台部材５０は、たとえば、手で折り曲げることが可能な軟性のアルミニウム材から形成される。
【００４２】
図２の（Ｆ）に示すように、棒状間隔部材６０は、４枚の柱状プレート４０ａ、４０ｂ、４０ｃ、４０ｄのいずれかを挟むことができるように２本の棒状部６１、６２が連結された形態を有する。後述するが、棒状間隔部材６０は、燃料容器として用いられる第１の空き缶と、炊飯容器として用いられる第２の空き缶の間に介在するように配置されて用いられるものである。なお、棒状間隔部材６０は、たとえば、ステンレス鋼製の棒材から形成される。
【００４３】
図２の（Ｇ）（Ｈ）に示すように、本発明の簡易コンロキット１には、燃料容器として用いられる第１の空き缶に開口を形成するためのプレート状治具として、たとえば、穴あけ治具８０や缶きり９０が備えられていてもよい。
【００４４】
図２の（Ｇ）に示すように、穴あけ治具８０は、２枚のプレート８１と８２から構成される。プレート８１の両側には二つの腕部が形成され、中央上端部には三角形状の突出端部が形成され、この突出端部に切欠き部８３が形成されている。一方、プレート８２の両側には二つの腕部が形成され、中央上端部には三角形状の刃部８５が形成され、この突出端部と反対側の中央下端部には切欠き部８４が形成されている。二つのプレート８１と８２の下端部は、直線状に形成されている。後述するが、切欠き部８３と切欠き部８４とを互いに係合させることにより、２枚のプレート８１と８２を組み合わせることによって、穴あけ治具８０として用いることができる。この穴あけ治具８０は、燃料容器であるアルミニウム製の第１の空き缶の下部に空気取り入れ用の開口を形成するために用いられる。
【００４５】
図２の（Ｈ）に示すように、缶きり９０では、一方端部に取っ手部９１が形成され、他方端部に刃部９２が形成されている。この缶きり９０は、燃料容器であるアルミニウム製の第１の空き缶の上部に燃焼ガス排出用の開口を形成するために用いられるだけでなく、炊飯容器として用いられるアルミニウム製の第２の空き缶の上部に開口を形成するために用いられてもよい。
【００４６】
このようにすることにより、災害発生時や野外のレジャー等において、本発明の簡易コンロキット１とは別に穴あけ治具を準備しなくても、空き缶に所定の開口を形成することができる。
【００４７】
また、図２の（Ｉ）に示すように、本発明の簡易コンロキット１には、プレート状の蓋部材７０が備えられていてもよい。蓋部材７０は、鍔部を形成する外周部７１と、炊飯容器である第２の空き缶内に嵌められる嵌入部７２と、外周部７１から外方向に突出して延びる取っ手部７３とからなる。
【００４８】
この発明の簡易コンロキット１を構成するすべての部材は、プレート状部材または棒状部材である。このため、簡易コンロキット１の構成部材を集約しても嵩張らないので、非常時に備えて、少ないスペースで簡易コンロキット１を保管することができる。
【００４９】
図１と図２に示されるように簡易コンロキット１を組み立てるためには、まず、第１の支持プレート１０の挿入穴１３に柱状プレート４０ａの引っ掛け部４１ａを挿入して、上方向に突出させる。次に、第２の支持プレート２０の切欠き部２３に柱状プレート４０ａの切欠き部４２ａを差し込んで係合させる。そして、柱状プレート４０ａの突出端部４３ａよりも頂部４４ａ寄りの部分を第３の支持プレート３０の切欠き部３３に差し込んで係合させる。これにより、柱状プレート４０ａの突出端部４３ａが第３の支持プレート３０を受けて支持することができる。その後、同様にして順に、第１の支持プレート１０の挿入穴１４、１５，１６の各々に柱状プレート４０ｂ、４０ｃ、４０ｄの引っ掛け部４１ｂ、４１ｃ、４１ｄのそれぞれを挿入し、上方向に突出させ、第２の支持プレート２０の切欠き部２４、２５、２６の各々に柱状プレート４０ｂ、４０ｃ、４０ｄの切欠き部４２ｂ、４２ｃ、４２ｄのそれぞれを差し込んで係合させて、柱状プレート４０ｂ、４０ｃ、４０ｄの突出端部４３ｂ、４３ｃ、４３ｄよりも頂部４４ｂ、４４ｃ、４４ｄ寄りの部分を第３の支持プレート３０の切欠き部３４、３５、３６のそれぞれに差し込んで係合させる。このようにして、図１に示される簡易コンロが完成する。
【００５０】
図３は本発明の簡易コンロキットの一つの使用形態にて二つの空き缶の組み込む手順を概略的に示す斜視図、図４は本発明の簡易コンロキットの一つの使用形態にて二つの空き缶が組み込まれた状態を示す斜視図、図５は本発明の簡易コンロキットの一つの使用形態における二つの空き缶の内部を示す概略的な断面図である。
【００５１】
この発明の簡易コンロキット１は、次のようにして使用される。
【００５２】
まず、図１に示すように、第１の支持プレート１０、第２の支持プレート２０および第３の支持プレート３０の外周部に係合するように周方向に間隔をあけて複数の柱状プレート４０ａ、４０ｂ、４０ｃ、４０ｄを配置して立てる。
【００５３】
次に、図３と図４に示すように、空気取り入れ用の開口部１２（図１）を有する第１の支持プレート１０の上に、燃料容器としての第１の空き缶１００を置く。第１の空き缶１００の上部には燃焼ガスを排出することが可能な開口１１０と、第１の空き缶１００の底壁部１２０には燃焼用空気を取り入れることが可能な開口１３０を予め形成しておく。開口１１０は、図２の（Ｈ）に示す缶きり９０を用いて形成されてもよい。開口１３０は、後述するように、図２の（Ｇ）に示す穴あけ治具８０を用いて形成されてもよい。プレート状台部材５０において４本の脚部５４ａ、５４ｂ、５４ｃ、５４ｄを格子状の台部５１から直立するように折り曲げた状態にして、台部材５０を第１の空き缶１００内に置く。
【００５４】
図５に示すように、プレート状台部材５０の台部５１の上に可燃物３００として、たとえば、木片、割り箸、紙片等を置いて第１の空き缶１００内に装入する。
【００５５】
図３と図４に示すように第１の空き缶１００の上に棒状間隔部材６０を介在して、炊飯容器としての第２の空き缶２００を置き、二つの空き缶を長さ方向に縦に並べて置く。このとき、棒状間隔部材６０の二つの棒状部６１と６２が、たとえば、柱状プレート４０ｃを挟むようにして棒状間隔部材６０を配置する。第２の空き缶２００の底壁部２２０には開口がないが、上部には、缶きり９０を用いて開口２１０があけられてもよく、飲み口として飲料用缶にてプルトップが引かれた状態で部分的な開口が形成されていてもよい。
【００５６】
このようにして構成された本発明の簡易コンロキット１では、上下部に開口１１０、１３０を有する第１の空き缶１００を第１の支持プレート１０の上に置き、上部に開口２１０を有する第２の空き缶２００を第１の空き缶１００の上に置き、第２の支持プレート２０と第３の支持プレート３０の各々の穴２２、３２に第１の空き缶１００と第２の空き缶２００のそれぞれを挿入する。
【００５７】
図５に示すように、第２の空き缶２００内には所定量の生米４００と水５００を装入する。第１の空き缶１００内の可燃物３００にはマッチやライターで火をつける。このようにして炊飯を行う。この場合、蓋部材７０で第２の空き缶２００の開口２１０が閉じられてもよく、アルミニウム箔等を用いて開口２１０が覆われてもよい。生米４００は、１合程度、たとえば０．７〜０．８合の量で研いだ米を用いる。水５００は、生米４００の量よりも少し多めにするのが好ましい。１５〜２０分間程度、炎を絶やさないように燃焼させた後、ご飯が炊けたら暫く蒸らす。炊けたご飯は、開口２１０から取り出す。たとえば、容量が３５０ｍｌの第２の空き缶２００を用いた場合、茶碗で約２杯分のご飯を作ることができる。
【００５８】
このとき、図５に示すように、第１の支持プレート１０の開口部１２と、第１の空き缶１００の下部に形成された開口１３０を通じて、第１の空き缶１００内には、燃焼用空気が第１の空き缶１００内に導入される。第１の空き缶１００内に導入された燃焼用空気は、格子状の台部５１を通じて、プレート状台部材５０の台部５１の上に置かれた可燃物３００に供給される。可燃物３００が燃焼することによって発生した燃焼ガス３１０は、第１の空き缶１００の上部に形成された開口１１０から、棒状間隔部材６０によって与えられる第１の空き缶１００と第２の空き缶２００の間の空間と、第２の空き缶２００の底壁部２２０の外周部に形成されている空間Ｓに流れることにより、煙突効果をもたらす。これらの作用により、高い効率で燃焼を行うことができる。このため、身の回りにある木片等の少量の燃料で炊飯を行うだけの加熱源を得ることができる。また、専用のかまどやコンロ、専用の炊飯容器や炊飯鍋等がなくても、飲料容器として用いられている缶を利用して、飲んだ後の二つの空き缶を燃料容器と炊飯容器に転用することにより、炊飯を行うことができる。さらに、簡単に手に入る空き缶や木片等と、米と水を準備するだけで炊飯を行うことができるので、本発明の簡易コンロキット１は、野外のレジャーや災害発生時等の緊急時に有用である。
【００５９】
さらに、この発明の簡易コンロキット１では、燃料用容器である第１の空き缶として二つのタイプの空き缶を用いることができる。
【００６０】
図３〜図５に示すように、一つのタイプの第１の空き缶１００は、長さ方向に沿って内径がほぼ同じドラム缶状のものである。このタイプの場合、図３と図５に示すように、プレート状台部材５０は、４本の脚部５４ａ、５４ｂ、５４ｃ、５４ｄを下にし、格子状の台部５１を上に向けて、第１の空き缶１００の内部に配置する。このようにプレート状台部材５０を配置することにより、格子状の台部５１と、第１の空き缶１００の下部に設けられた開口１３０との間に空間を確保することができる。第１の空き缶１００内に導入された燃焼用空気は、上記の空間、格子状の台部５１を通じて、プレート状台部材５０の台部５１の上に置かれた可燃物３００に供給されるので、高い効率で可燃物３００の燃焼を行うことが可能になる。
【００６１】
また、このタイプの第１の空き缶１００が第１の支持プレート１０の上に置かれると、第１の空き缶１００の下部に形成される開口１３０と、第１の支持プレート１０の空気取り入れ用の開口部１２との位置がずれてしまう場合がある。ところで、４枚の柱状プレート４０ａ、４０ｂ、４０ｃ、４０ｄの各々は、第１の支持プレート１０の外周部１１に係合されるとき第１の支持プレート１０から上方向に突出する突出部として引っ掛け部４１ａ、４１ｂ、４１ｃ、４１ｄを有している。図５に示すように、第１の空き缶１００が第１の支持プレート１０の上に置かれると、第１の支持プレート１０の外周部１１にて第１の支持プレート１０から上方向に突出する４枚の柱状プレート４０ａ、４０ｂ、４０ｃ、４０ｄの各々の引っ掛け部４１ａ、４１ｂ、４１ｃ、４１ｄが第１の空き缶１００の底壁部１２０に接触する。これらの引っ掛け部４１ａ、４１ｂ、４１ｃ、４１ｄにより、第１の空き缶１００の下部に形成された開口１３０と、第１の支持プレート１０の空気取り入れ用の開口部１２との間に空間が形成される。その結果、第１の空き缶１００の下部に形成された開口１３０と、第１の支持プレート１０の空気取り入れ用の開口部１２との位置がずれていても、これらの二つの開口間の通風が可能となるので、燃焼用空気の第１の空き缶１００内への導入が妨げられることがなく、第１の支持プレート１０の空気取り入れ用の開口部１２から、第１の空き缶１００の下部に形成された開口１３０を通じて、第１の空き缶１００内に燃焼用空気を導入することができる。
【００６２】
図６は本発明の簡易コンロキットのもう一つの使用形態にて二つの空き缶の組み込む手順を概略的に示す斜視図、図７は本発明の簡易コンロキットのもう一つの使用形態にて二つの空き缶が組み込まれた状態を示す斜視図、図８は本発明の簡易コンロキットのもう一つの使用形態における二つの空き缶の内部を示す概略的な断面図である。
【００６３】
この発明の簡易コンロキット１は、次のようにして使用される。
【００６４】
まず、図１に示すように、第１の支持プレート１０、第２の支持プレート２０および第３の支持プレート３０の外周部に係合するように周方向に間隔をあけて複数の柱状プレート４０ａ、４０ｂ、４０ｃ、４０ｄを配置して立てる。
【００６５】
次に、図６と図７に示すように、空気取り入れ用の開口部１２（図１）を有する第１の支持プレート１０の上に、燃料容器としての第１の空き缶１００ａを置く。この場合、飲み口部として相対的に内径が小さい首部１２０ａを下にして、第１の支持プレート１０の上に第１の空き缶１００ａを置く。第１の空き缶１００ａの上部には燃焼ガスを排出することが可能な開口１１０ａを予め形成しておく。この第１の空き缶１００ａでは、相対的に内径の大きいドラム缶状の大径部１４０から、傾斜部１５０を経て連続して形成されている首部１２０ａには、キャップ（図示せず）をねじ込んで固定するためのねじ部が形成されており、その先端部には開口１３０ａが形成されている。この開口１３０ａを燃焼用空気を取り入れるための開口として用いる。開口１１０ａは、図２の（Ｈ）に示す缶きり９０を用いて形成されてもよい。プレート状台部材５０において４本の脚部５４ａ、５４ｂ、５４ｃ、５４ｄを格子状の台部５１から直立するように折り曲げた状態にして、プレート状台部材５０を第１の空き缶１００ａ内に置く。この場合、台部５１を下にして、脚部５４ａ、５４ｂ、５４ｃ、５４ｄを上にして、プレート状台部材５０を第１の空き缶１００ａ内に配置する。
【００６６】
図８に示すように、プレート状台部材５０の台部５１の上に可燃物３００として、たとえば、木片、割り箸、紙片等を置いて第１の空き缶１００ａ内に装入する。
【００６７】
図６と図７に示すように第１の空き缶１００ａの上に棒状間隔部材６０を介在して、炊飯容器としての第２の空き缶２００を置き、二つの空き缶を長さ方向に縦に並べて置く。このとき、棒状間隔部材６０の二つの棒状部６１と６２が、たとえば、柱状プレート４０ｃを挟むようにして棒状間隔部材６０を配置する。第２の空き缶２００の底壁部２２０には開口がないが、上部には、缶きり９０を用いて開口２１０があけられてもよく、飲み口として飲料用缶にてプルトップが引かれた状態で部分的な開口が形成されていてもよい。
【００６８】
このようにして構成された本発明の簡易コンロキット１では、上下部に開口１１０ａ、１３０ａを有する第１の空き缶１００ａを第１の支持プレート１０の上に置き、上部に開口２１０を有する第２の空き缶２００を第１の空き缶１００ａの上に置き、第２の支持プレート２０と第３の支持プレート３０の各々の穴２２、３２に第１の空き缶１００ａと第２の空き缶２００のそれぞれを挿入する。
【００６９】
図８に示すように、第２の空き缶２００内には所定量の生米４００と水５００を装入する。第１の空き缶内１００ａの可燃物３００にはマッチやライターで火をつける。このようにして炊飯を行う。この場合、蓋部材７０で第２の空き缶２００の開口２１０が閉じられてもよく、アルミニウム箔等を用いて開口２１０が覆われてもよい。生米４００は、１合程度、たとえば０．７〜０．８合程度の量で研いだ米を用いる。水５００は、生米４００の量よりも少し多めにするのが好ましい。１５〜２０分間程度、炎を絶やさないように燃焼させた後、ご飯が炊けたら暫く蒸らす。炊けたご飯は、開口２１０から取り出す。たとえば、容量が３５０ｍｌの第２の空き缶２００を用いた場合、茶碗で約２杯分のご飯を作ることができる。
【００７０】
このとき、図８に示すように、第１の支持プレート１０の開口部１２と、第１の空き缶１００ａの開口１３０ａを通じて、第１の空き缶１００ａ内には、燃焼用空気が第１の空き缶１００ａ内に導入される。第１の空き缶１００ａ内に導入された燃焼用空気は、格子状の台部５１を通じて、プレート状台部材５０の台部５１の上に置かれた可燃物３００に供給される。可燃物３００が燃焼することによって発生した燃焼ガス３１０は、第１の空き缶１００ａの上部に形成された開口１１０ａから、棒状間隔部材６０によって与えられる第１の空き缶１００ａと第２の空き缶２００の間の空間と、第２の空き缶２００の底壁部２２０の外周部に形成されている空間Ｓに流れることにより、煙突効果をもたらす。これらの作用により、高い効率で燃焼を行うことができる。このため、身の回りにある木片等の少量の燃料で炊飯を行うだけの加熱源を得ることができる。また、専用のかまどやコンロ、専用の炊飯容器や炊飯鍋等がなくても、飲料容器として用いられている缶を利用して、飲んだ後の二つの空き缶を燃料容器と炊飯容器に転用することにより、炊飯を行うことができる。さらに、簡単に手に入る空き缶や木片等と、米と水を準備するだけで炊飯を行うことができるので、本発明の簡易コンロキット１は、野外のレジャーや災害発生時等の緊急時に有用である。
【００７１】
図６〜図８に示すように、もう一つのタイプの第１の空き缶１００ａは、細く首状に形成された相対的に内径が小さい飲み口部分としての首部１２０ａと、相対的に内径が大きいドラム缶状部分としての大径部１４０とから構成されるものである。この場合、首部１２０ａに形成された開口１３０ａを下に向けて第１の空き缶１００ａを配置する。図６と図８に示すように、プレート状台部材５０は、４本の脚部５４ａ、５４ｂ、５４ｃ、５４ｄを上にし、格子状の台部５１を下に向けて、第１の空き缶１００ａの内部に配置する。このとき、プレート状台部材５０の台部５１は、第１の空き缶１００ａの相対的に大きな内径の内周部分、すなわち大径部１４０の内径とほぼ同じ大きさの外径の外周部分として外枠部５２を有するので、台部５１は、第１の空き缶１００ａ内で、首部１２０ａと大径部１４０との境界部分で、傾斜部１５０に隣接する大径部１４０の内周面に係止されて固定される。このようにプレート状台部材５０を配置することにより、格子状の台部５１と、首部１２０ａに形成された開口１３０ａとの間に細く首状に形成された空間を確保することができる。第１の空き缶１００ａ内に導入された燃焼用空気は、上記の空間、格子状の台部５１を通じて、プレート状台部材５０の台部５１の上に置かれた可燃物３００に供給されるので、高い効率で可燃物３００の燃焼を行うことが可能になる。
【００７２】
また、このタイプの第１の空き缶１００ａが第１の支持プレート１０の上に置かれると、第１の空き缶１００ａの飲み口部分として首部１２０ａに形成された開口１３０ａと、第１の支持プレート１０の空気取り入れ用の開口部１２との位置が整合する。ところで、４枚の柱状プレート４０ａ、４０ｂ、４０ｃ、４０ｄの各々は、第１の支持プレート１０の外周部１１に係合されるとき第１の支持プレート１０から上方向に突出する引っ掛け部４１ａ、４１ｂ、４１ｃ、４１ｄを有している。飲み口部分として首部１２０ａに形成された開口１３０ａが第１の支持プレート１０の上に接触するように第１の空き缶１００ａが置かれると、第１の支持プレート１０の外周部１１にて第１の支持プレート１０から上方向に突出する４枚の柱状プレート４０ａ、４０ｂ、４０ｃ、４０ｄの各々の引っ掛け部４１ａ、４１ｂ、４１ｃ、４１ｄは第１の空き缶１００ａの首部１２０ａに接触しない。これにより、第１の空き缶１００ａの飲み口部分として首部１２０ａに形成された開口１３０ａと、第１の支持プレート１０の空気取り入れ用の開口部１２との位置の整合性が保たれる。その結果、これらの二つの開口間の通風が可能となるので、燃焼用空気の第１の空き缶１００ａへの導入が妨げられることがなく、第１の支持プレート１０の空気取り入れ用の開口部１２から、第１の空き缶１００ａの首部１２０ａに形成された開口１３０ａを通じて、第１の空き缶１００ａ内に燃焼用空気を導入することができる。
【００７３】
以上のようにして、本発明の簡易コンロキット１では、燃料容器である第１の空き缶１００、１００ａの二つのタイプのうち、いずれの空き缶が用いられても、問題なく、高い効率で燃焼を行うことができる。
【００７４】
なお、この発明の簡易コンロキット１では、４枚の柱状プレート４０ａ、４０ｂ、４０ｃ、４０ｄが、第１の支持プレート１０、第２の支持プレート２０および第３の支持プレート３０の外周部１１、２１、３１に係合するように周方向に間隔をあけて配置されて、立てて用いられる。このように構成されているので、第１の支持プレート１０の上に第１の空き缶１００、１００ａを置き、第２の支持プレート２０と第３の支持プレート３０の各々の穴１２、２２、３２に第１の空き缶１００、１００ａと第２の空き缶２００のそれぞれを挿入して、二つの空き缶を長さ方向に縦に並べて置いても、二つの空き缶を安定した姿勢で保持することができる。上記の実施の形態では、４枚の柱状プレート４０ａ、４０ｂ、４０ｃ、４０ｄを用いているが、３枚以上であればよく、柱状プレートの枚数は４枚に限定されない。
【００７５】
また、この発明の簡易コンロキット１は、第２の空き缶２００の開口２１０を覆うためのプレート状の蓋部材７０をさらに備えることにより、高い効率で炊飯を行うことができる。
【００７６】
図９は、本発明の簡易コンロキットの使用形態にて燃料容器としての第１の空き缶の内部を示す部分断面図である。
【００７７】
図９に示すように、プレート状台部材５０の台部５１は、第１の空き缶１００、１００ａの相対的に大きな内径とほぼ同じ大きさの外径の外周部分として外枠部５２を有する。これにより、台部５１は、第１の空き缶１００、１００ａ内で、第１の空き缶１００、１００ａの相対的に大きな内径部分の内周面に係止されて固定されることがわかる。
【００７８】
図１０は、燃料容器としての第１の空き缶の下部に開口を形成するために用いられるプレート状治具の組み立てられた状態を示す斜視図（Ａ）と、第１の空き缶の下部に開口を形成する方法を示す部分断面図（Ｂ）である。
【００７９】
図１０の（Ａ）に示すように、図２の（Ｇ）に示す切欠き部８３と切欠き部８４とを互いに係合させることにより、２枚のプレート８１と８２を組み合わせることによって、中央部に刃部８５が突出した穴あけ治具８０を構成することができる。図１０の（Ｂ）に示すように、矢印Ｆで示す方向に燃料容器である第１の空き缶１００の底壁部１２０を穴あけ治具８０の刃部８５に押し付けることにより、空気取り入れ用の開口８５を形成することができる。
【００８０】
なお、上記の実施の形態では、主に炊飯を行うために本発明の簡易コンロキットを使用した例について説明したが、空き缶を用いて湯を沸かすために本発明の簡易コンロキットを使用してもよく、空き缶を用いて簡単な煮炊きを行うために本発明の簡易コンロキットを使用してもよい。
【００８１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【００８２】
【図１】本発明の一つの実施形態として組み立てられた簡易コンロキットを示す斜視図である。
【図２】本発明の一つの実施形態として分解された簡易コンロキットの構成部材を示す平面図である。
【図３】本発明の簡易コンロキットの一つの使用形態にて二つの空き缶の組み込む手順を概略的に示す斜視図である。
【図４】本発明の簡易コンロキットの一つの使用形態にて二つの空き缶が組み込まれた状態を示す斜視図である。
【図５】本発明の簡易コンロキットの一つの使用形態における二つの空き缶の内部を示す概略的な断面図である。
【図６】本発明の簡易コンロキットのもう一つの使用形態にて二つの空き缶の組み込む手順を概略的に示す斜視図である。
【図７】本発明の簡易コンロキットのもう一つの使用形態にて二つの空き缶が組み込まれた状態を示す斜視図である。
【図８】本発明の簡易コンロキットのもう一つの使用形態における二つの空き缶の内部を示す概略的な断面図である。
【図９】本発明の簡易コンロキットの使用形態にて燃料容器としての第１の空き缶の内部を示す部分断面図である。
【図１０】燃料容器としての第１の空き缶の下部に開口を形成するために用いられるプレート状治具の組み立てられた状態を示す斜視図（Ａ）と、第１の空き缶の下部に開口を形成する方法を示す部分断面図（Ｂ）である。
【符号の説明】
【００８３】
１：簡易コンロキット、１０：第１の支持プレート、１１：外周部、１２：開口部、２０：第２の支持プレート、２１：外周部、２２：穴、３０：第３の支持プレート、３１：外周部、３２：穴、４０ａ，４０ｂ，４０ｃ，４０ｄ：柱状プレート、４１ａ，４１ｂ，４１ｃ，４１ｄ：引っ掛け部、５０：プレート状台部材、５１：台部、５２：外枠部、５４ａ，５４ｂ，５４ｃ，５４ｄ：脚部、６０：棒状間隔部材、７０：蓋部材、８０：穴あけ治具、９０：缶きり、１００，１００ａ：第１の空き缶、１１０，１１０ａ，１３０，１３０ａ：開口、２００：第２の空き缶、２１０：開口。
【図１】
2010115386.tif 000003
【図２】
2010115386.tif 000004
【図３】
2010115386.tif 000005
【図４】
2010115386.tif 000006
【図５】
2010115386.tif 000007
【図６】
2010115386.tif 000008
【図７】
2010115386.tif 000009
【図８】
2010115386.tif 000010
【図９】
2010115386.tif 000011
【図１０】
2010115386.tif 000012